(57)【要約】【課題】電解凝集処理を用いた汚水処理装置の製造コストやランニングコストの低廉化を図ること。【解決手段】本発明では、電気分解装置(4)を有する電解凝集槽(3)に汚水(30)を貯留し、前記電気分解装置(4)を用いて汚水(30)に対して電解凝集処理を施すことで汚水(30)中の汚物を除去する汚水処理装置(1)において、前記電解凝集槽(3)の底部に濾過器(6)を連通し、前記濾過器(6)に排水管(13)を連通することにした。そして、電解凝集処理を行うことで前記汚水(30)を前記電解凝集槽(3)の内部で凝集によって沈殿した沈殿物(31)と沈殿物(31)が沈殿分離した処理水(32)と処理水(32)の水面に浮遊する浮遊物(33)とに分離し、その後、電解凝集槽(3)から濾過器(6)に電解凝集槽(3)内の沈殿物(31)と処理水(32)とを排出し、前記濾過器(6)によって沈殿物(31)を捕捉することにした。【選択図】図２
2008207089.tif 000002
【特許請求の範囲】
【請求項１】
電気分解装置を有する電解凝集槽に汚水を貯留し、前記電気分解装置を用いて汚水に対して電解凝集処理を施すことで汚水中の汚物を除去する汚水処理装置において、
前記電解凝集槽の底部に濾過器を連通し、前記濾過器に処理水を排出するための排水管を連通したことを特徴とする汚水処理装置。
【請求項２】
前記電解凝集槽の底部に傾斜面を形成し、前記傾斜面の下端部に排出管を接続し、前記排出管に前記濾過器を連通したことを特徴とする請求項１に記載の汚水処理装置。
【請求項３】
前記電解凝集槽に前記汚水の水温を調節するための調温装置を設けたことを特徴とする請求項１又は請求項２に記載の汚水処理装置。
【請求項４】
前記電解凝集槽に供給する汚水をあらかじめ貯留するための貯留槽を前記電解凝集槽に汚水供給流路を介して接続するとともに、前記貯留槽及び／又は前記汚水供給流路に前記汚水の水温を調節するための調温装置を設けたことを特徴とする請求項１〜請求項３のいずれかに記載の汚水処理装置。
【請求項５】
前記電解凝集槽に前記汚水をオーバーフローさせるためのオーバーフロー管を設け、前記電解凝集槽に電解凝集処理で生じた浮遊物を前記オーバーフロー管へ掻き出すためのスクレーパーを設けたことを特徴とする請求項１〜請求項４のいずれかに記載の汚水処理装置。
【請求項６】
前記電解凝集槽に処理水を貯留する処理水貯留槽を処理水回収流路を介して連通連結し、前記電解凝集槽及び／又は前記処理水貯留槽及び／又は前記処理水回収流路に処理水をオゾンガスで曝気するための曝気機構を設けたことを特徴とする請求項１〜請求項５のいずれかに記載の汚水処理装置。
【請求項７】
前記汚水の水温を処理前及び／又は処理中に４０〜９０℃に加温することを特徴とする請求項１〜請求項６のいずれかに記載の汚水処理装置。
【請求項８】
電気分解装置を有する電解凝集槽に汚水を貯留し、前記電気分解装置を用いて汚水に対して電解凝集処理を施すことで汚水中の汚物を除去する汚水処理方法において、
前記電解凝集槽の底部に濾過器を連通し、前記濾過器に処理水を排出するための排水管を連通するとともに、前記電解凝集槽に前記汚水の水温を調節するための調温装置を設けて、前記調温装置で前記汚水の水温を調節するとともに、前記電解凝集槽と前記濾過器とで汚水を処理することを特徴とする汚水処理方法。
【請求項９】
前記電解凝集槽に供給する汚水をあらかじめ貯留するための貯留槽を前記電解凝集槽に汚水供給流路を介して接続するとともに、前記貯留槽及び／又は前記汚水供給流路に前記汚水の水温を調節するための調温装置を設けて、前記調温装置で前記汚水の水温を調節することを特徴とする請求項８に記載の汚水処理方法。
【発明の詳細な説明】
【技術分野】
【０００１】
本発明は、汚水処理装置及び汚水処理方法に関するものであり、特に、電気分解装置を有する電解凝集槽に汚水を貯留し、電気分解装置を用いて汚水に対して電解凝集処理を施すことで汚水中の汚物を除去する汚水処理装置及び汚水処理方法に関するものである。
【背景技術】
【０００２】
従来より、各種の水処理で排出される汚水は、汚水処理装置を用いて汚水中の汚物を除去した後に排水されている。
【０００３】
そして、従来の汚水処理装置としては、たとえば特許文献１に開示されているように、電気分解装置を用いて汚物を電解凝集させる汚水処理装置が知られている。
【０００４】
この特許文献１に開示されている電気分解装置を用いた汚水処理装置では、電解凝集槽に電気分解装置と微細気泡発生装置とを設けた構成となっており、電解凝集槽に汚水を貯留した後に、電気分解装置によって汚水を電気分解し、電気分解により発生した金属イオンで汚物を凝集させ、凝集させた汚物を微細気泡発生装置から発生する微細気泡によって電解凝集槽の上部へ浮上させ、汚物を電解凝集槽からオーバーフローさせることで、汚水中に含有される汚物を除去するようにしている。
【０００５】
【特許文献１】特開２００６−１３６７６７号公報
【発明の開示】
【発明が解決しようとする課題】
【０００６】
ところが、上記従来の汚水処理装置では、凝集させた汚物を微細気泡発生装置で発生する微細気泡によって強制的に電解凝集槽からオーバーフローさせることで汚物を除去するように構成していたために、微細気泡発生装置が必要となり、装置の製造コストやランニングコストが増大していた。
【０００７】
また、上記従来の汚水処理装置では、微細気泡によって全ての汚物を電解凝集槽の上部まで浮上させてオーバーフローさせることは困難であり、電解凝集処理を行った後に電解凝集槽の内部に汚物が残留してしまい、その清掃作業のために多大な労力や時間を要していた。
【課題を解決するための手段】
【０００８】
そこで、請求項１に係る本発明では、電気分解装置を有する電解凝集槽に汚水を貯留し、前記電気分解装置を用いて汚水に対して電解凝集処理を施すことで汚水中の汚物を除去する汚水処理装置において、前記電解凝集槽の底部に濾過器を連通し、前記濾過器に処理水を排出するための排水管を連通することにした。
【０００９】
また、請求項２に係る本発明では、前記請求項１に係る本発明において、前記電解凝集槽の底部に傾斜面を形成し、前記傾斜面の下端部に排出管を接続し、前記排出管に前記濾過器を連通することにした。
【００１０】
また、請求項３に係る本発明では、前記請求項１又は請求項２に係る本発明において、前記電解凝集槽に前記汚水の水温を調節するための調温装置を設けることにした。
【００１１】
また、請求項４に係る本発明では、前記請求項１〜請求項３のいずれかに係る本発明において、前記電解凝集槽に供給する汚水をあらかじめ貯留するための貯留槽を前記電解凝集槽に汚水供給流路を介して接続するとともに、前記貯留槽及び／又は前記汚水供給流路に前記汚水の水温を調節するための調温装置を設けることにした。
【００１２】
また、請求項５に係る本発明では、前記請求項１〜請求項４のいずれかに係る本発明において、前記電解凝集槽に前記汚水をオーバーフローさせるためのオーバーフロー管を設け、前記電解凝集槽に電解凝集処理で生じた浮遊物を前記オーバーフロー管へ掻き出すためのスクレーパーを設けることにした。
【００１３】
また、請求項６に係る本発明では、前記請求項１〜請求項５のいずれかに係る本発明において、前記電解凝集槽に処理水を貯留する処理水貯留槽を処理水回収流路を介して連通連結し、前記電解凝集槽及び／又は前記処理水貯留槽及び／又は前記処理水回収流路に処理水をオゾンガスで曝気するための曝気機構を設けることにした。
【００１４】
また、請求項７に係る本発明では、前記請求項１〜請求項６のいずれかに係る本発明において、前記汚水の水温を処理前及び／又は処理中に４０〜９０℃に加温することにした。
【００１５】
また、請求項８に係る本発明では、電気分解装置を有する電解凝集槽に汚水を貯留し、前記電気分解装置を用いて汚水に対して電解凝集処理を施すことで汚水中の汚物を除去する汚水処理方法において、前記電解凝集槽の底部に濾過器を連通し、前記濾過器に処理水を排出するための排水管を連通するとともに、前記電解凝集槽に前記汚水の水温を調節するための調温装置を設けて、前記調温装置で前記汚水の水温を調節するとともに、前記電解凝集槽と前記濾過器とで汚水を処理することにした。
【００１６】
また、請求項９に係る本発明では、前記請求項８に係る本発明において、前記電解凝集槽に供給する汚水をあらかじめ貯留するための貯留槽を前記電解凝集槽に汚水供給流路を介して接続するとともに、前記貯留槽及び／又は前記汚水供給流路に前記汚水の水温を調節するための調温装置を設けて、前記調温装置で前記汚水の水温を調節することにした。
【発明の効果】
【００１７】
そして、本発明では、以下に記載する効果を奏する。
【００１８】
すなわち、請求項１に係る本発明では、電気分解装置を有する電解凝集槽に汚水を貯留し、電気分解装置を用いて汚水に対して電解凝集処理を施すことで汚水中の汚物を除去する汚水処理装置において、電解凝集槽の底部に濾過器を連通し、濾過器に処理水を排出するための排水管を連通しているために、汚水に対して電解凝集処理を行うことで電解凝集槽の内部で凝集によって沈殿した沈殿物と沈殿物が沈殿分離した処理水と処理水の水面に浮遊する浮遊物とに分離され、その後、これらの沈殿物と処理水と浮遊物とを電解凝集槽の底部から排出することで固形分である沈殿物と浮遊物とを濾過器で捕捉するとともに、処理水を排水管から排出することができるので、従来の電気分解装置を用いた汚水処理装置のように微細気泡発生装置などの特別な装置を用いることなく汚水の処理を行うことができ、汚水処理装置の製造コストやランニングコストの低廉化を図ることができる。
【００１９】
また、請求項２に係る本発明では、電解凝集槽の底部に傾斜面を形成し、傾斜面の下端部に排出管を接続し、排出管に濾過器を連通しているために、電解凝集槽の底部の傾斜面に沿って沈殿物や処理水を円滑に濾過器へ排出することができる。
【００２０】
また、請求項３に係る本発明では、電解凝集槽に汚水の水温を調節するための調温装置を設けているために、調温装置によって汚水の水温を調節することで電気分解の反応速度を速めることができるので、汚水の電解凝集処理に要する処理時間を短縮することができ、汚水の大量処理を行うことができる。
【００２１】
また、請求項４に係る本発明では、電解凝集槽に供給する汚水をあらかじめ貯留するための貯留槽を電解凝集槽に汚水供給流路を介して接続するとともに、貯留槽及び／又は汚水供給流路に汚水の水温を調節するための調温装置を設けているために、調温装置によって汚水の水温を調節することで電気分解の反応速度を速めることができるので、汚水の電解凝集処理に要する処理時間を短縮することができ、汚水の大量処理を行うことができる。
【００２２】
また、請求項５に係る本発明では、電解凝集槽に汚水をオーバーフローさせるためのオーバーフロー管を設け、電解凝集槽に電解凝集処理で生じた浮遊物をオーバーフロー管へ掻き出すためのスクレーパーを設けているために、スクレーパーによって浮遊物をオーバーフロー管へ円滑に排出することができ、電解凝集槽の内部に浮遊物が付着してしまうのを防止することができ、電解凝集槽の清掃作業に要する労力や時間を短縮することができる。
【００２３】
また、請求項６に係る本発明では、電解凝集槽に処理水を貯留する処理水貯留槽を処理水回収流路を介して連通連結し、電解凝集槽及び／又は処理水貯留槽及び／又は処理水回収流路に処理水をオゾンガスで曝気するための曝気機構を設けているために、処理水をオゾンガスで曝気することができ、処理水の浄化を図ることができる。
【００２４】
また、請求項７に係る本発明では、汚水の水温を処理前及び／又は処理中に４０〜９０℃に加温することにしているために、電気分解の反応速度を速めることができ、汚水の電解凝集処理に要する処理時間を短縮することができ、汚水の大量処理を行うことができる。
【００２５】
また、請求項８に係る本発明では、電気分解装置を有する電解凝集槽に汚水を貯留し、電気分解装置を用いて汚水に対して電解凝集処理を施すことで汚水中の汚物を除去する汚水処理方法において、電解凝集槽の底部に濾過器を連通し、濾過器に処理水を排出するための排水管を連通するとともに、電解凝集槽に前記汚水の水温を調節するための調温装置を設けて、調温装置で前記汚水の水温を調節するとともに、電解凝集槽と前記濾過器とで汚水を処理することにしているために、調温装置によって汚水の水温を調節することで電気分解の反応速度を速めることができるので、汚水の電解凝集処理に要する処理時間を短縮することができ、汚水の大量処理を行うことができる。
【００２６】
また、請求項９に係る本発明では、電解凝集槽に供給する汚水をあらかじめ貯留するための貯留槽を電解凝集槽に汚水供給流路を介して接続するとともに、貯留槽及び／又は汚水供給流路に汚水の水温を調節するための調温装置を設けて、調温装置で前記汚水の水温を調節することにしているために、これによっても、調温装置によって汚水の水温を調節することで電気分解の反応速度を速めることができるので、汚水の電解凝集処理に要する処理時間を短縮することができ、汚水の大量処理を行うことができる。
【発明を実施するための最良の形態】
【００２７】
以下に、本発明に係る汚水処理装置及び汚水処理方法の具体的な構成について図面を参照しながら説明する。
【００２８】
［第１実施例］
図１及び図２に示すように、汚水処理装置1は、矩形箱枠状の基台２の上部に矩形箱型状の電解凝集槽３を載置するとともに、この電解凝集槽３に電気分解装置４と調温装置５とを配設し、また、基台２の底部に縦長矩形箱型状の濾過器６とポンプ７とを載置している。
【００２９】
そして、汚水処理装置１は、電解凝集槽３の底部に排出管８の始端部を接続し、この排出管８の中途部に開閉バルブ９を介設するとともに、排出管８の終端部に濾過器６を接続している。
【００３０】
また、汚水処理装置１は、電解凝集槽３の内部にオーバーフロー管10を配設し、このオーバーフロー管10の中途部に開閉バルブ11を介設するとともに、オーバーフロー管10の終端部を排出管８の中途部に接続している。
【００３１】
また、汚水処理装置１は、濾過器６に連通管12の始端部を接続し、この連通管12の終端部にポンプ７を接続し、ポンプ７に排水管13を接続している。
【００３２】
さらに、汚水処理装置１は、濾過器６とポンプ７とを連通する連通管12の中途部に流路切替バルブ14（三方コック）を介設するとともに、この流路切替バルブ14に供給管15の終端部を接続し、また、排水管13の中途部にも流路切替バルブ16（三方コック）を介設するとともに、この流路切替バルブ16に流入管17の始端部を接続し、この流入管17の終端部を電解凝集槽３の上部に接続している。
【００３３】
電解凝集槽３は、図３及び図４に示すように、槽本体18の上部開口に蓋体19を覆設しており、槽本体18の底部中央に排出管８の始端部を接続するとともに、槽本体18の右側上部に流入管17の終端部を接続し、槽本体18の左側底部にオーバーフロー管10を挿通して、オーバーフロー管10の始端部を槽本体18の内部において流入管17の終端部よりも下方に配置している。
【００３４】
電気分解装置４は、電解凝集槽３に二対の矩形板状の電極板20,21,22,23を平行に収容し、正極側のアルミニウム製の電極板20,22と負極側の鉄製の電極板21,23との間に電源24から供給される直流電圧を印加するようにしている。これらの電極板20,21,22,23は、電解凝集槽３の蓋体19に形成したスリット25から挿通され、電解凝集槽３の槽本体18の底部に形成した左右一対の支持体26の支持溝27で支持されている。
【００３５】
調温装置５は、電源24に接続したヒーターを用いている。なお、調温装置５は、冷却機能と加熱機能とを有するものを用いてもよい。また、調温装置５は、電解凝集槽３の内部に設けた場合に限られず、電解凝集槽３に供給する汚水をあらかじめ貯留するための貯留槽を電解凝集槽３に汚水供給流路を介して接続して、これら貯留槽及び／又は汚水供給流路に汚水の水温を調節するための調温装置を設けた構成としてもよい。また、調温装置５による汚水の調節温度としては、処理前又は／及び処理中に４０〜９０℃とするのが好ましい。
【００３６】
濾過器６は、縦長矩形箱型状のケーシング28の内部にフィルター29を収容し、このフィルター29で固形分を捕捉するようにしている。
【００３７】
なお、電解凝集槽３に処理水を貯留する処理水貯留槽を処理水回収流路を介して連通連結し、電解凝集槽３及び／又は処理水貯留槽及び／又は処理水回収流路に処理水をオゾンガスで曝気するための曝気機構を設けてもよい。この場合には、処理水をオゾンガスで曝気することができ、処理水の浄化を図ることができる。
【００３８】
以上に説明したように、汚水処理装置１では、電解凝集槽３の底部に濾過器６を排出管８を介して連通し、濾過器６にポンプ７を介して排水管13を連通し、また、電解凝集槽３にオーバーフロー管10を設け、オーバーフロー管10を濾過器６に連通している。
【００３９】
また、汚水処理装置１では、濾過器６とポンプ７とを連通する連通管12の中途部に供給管15を流路切替バルブ14を介して連通するとともに、ポンプ７と排水管13との間に流路切替バルブ16を設け、この流路切替バルブ16と電解凝集槽３とを連通し、両流路切替バルブ14,16によって供給管15からポンプ７を介して電解凝集槽３へと通じる汚水供給流路Ａ（図５参照。）と電解凝集槽３からポンプ７を介して排水管13へと通じる汚水排出流路Ｂ（図７、図８参照。）とに流路を変更できるように構成している。
【００４０】
そして、上記構成の汚水処理装置１では、まず、図５に示すように、排出管８の開閉バルブ９とオーバーフロー管10の開閉バルブ11を閉塞状態とするとともに、連通管12の流路切替バルブ14を供給管15からポンプ７への連通状態とし、排水管13の流路切替バルブ16をポンプ７から流入管17への連通状態として、供給管15からポンプ７を介して電解凝集槽３へと通じる汚水供給流路Ａを形成し、ポンプ７を駆動することによって供給管15から供給される汚水30を電解凝集槽３に貯留する。
【００４１】
次に、汚水処理装置１では、図６に示すように、ポンプ７の駆動を停止するとともに、電気分解装置４を駆動して、二対の電極板20,21,22,23に直流電圧を印加し、汚水30に対して電解凝集処理を行う。この電解凝集処理により、電解凝集槽３の内部では、汚水30の電気分解により発生した金属イオンに汚水30に含有される汚物が凝集され、その結果、汚水30が沈殿した沈殿物31と沈殿物31が沈殿分離した処理水32と処理水32の水面に浮遊する浮遊物33とに分離する。
【００４２】
この電解凝集処理においては、調温装置５によって汚水30の温度を電気分解に適した水温に調節することができる。このように、上記汚水処理装置１では、電解凝集槽３に汚水30の水温を調節するための調温装置５を設けているために、調温装置５によって汚水30の水温を調節することで電気分解の反応速度を速めることができるので、汚水30の電解凝集処理に要する処理時間を短縮することができ、汚水30の大量処理を行うことができる。
【００４３】
次に、汚水処理装置１では、図７に示すように、排出管８の開閉バルブ９とオーバーフロー管10の開閉バルブ11を開放状態とするとともに、連通管12の流路切替バルブ14を濾過器６からポンプ７への連通状態とし、排水管13の流路切替バルブ16をポンプ７から排水管13への連通状態として、電解凝集槽３からポンプ７を介して排水管13へと通じる汚水排出流路Ｂを形成し、ポンプ７を駆動することによって電解凝集槽３から沈殿物31と処理水32と浮遊物33を吸引する。
【００４４】
そのときに、浮遊物33は、図７に示すように、オーバーフロー管10を介して濾過器６に吸引され、濾過器６のフィルター29によって捕捉される。
【００４５】
そして、図８に示すように、先に沈殿物31が排出管８を介して濾過器６に吸引され、濾過器６のフィルター29によって捕捉され、その後に、処理水32が排出管８を介して濾過器６に吸引され、濾過器６のフィルター29を通過して、排水管13から排水される。
【００４６】
なお、濾過器６のフィルター29で捕捉する沈殿物31や浮遊物33は凝集によって粒径が大型化しているために、使用するフィルター29は目の粗い安価なものを用いることができ、これにより、汚水処理装置１のコストを低廉化することができるとともに、処理水32がフィルター29を通過する際の抵抗が低く、ポンプ７によって円滑に吸引することができる。
【００４７】
このように、上記汚水処理装置１では、電解凝集処理を行うことで汚水30を電解凝集槽３の内部で凝集によって沈殿した沈殿物31と沈殿物31が沈殿分離した処理水32と処理水32の水面に浮遊する浮遊物33とに分離し、その後、電解凝集槽３に連通する濾過器６よりも下流側に配設したポンプ７で電解凝集槽３の内部の沈殿物31と処理水32とを吸引し、濾過器６によって沈殿物31を捕捉するようにしている。
【００４８】
そのため、上記汚水処理装置１では、従来の電気分解装置を用いた汚水処理方法のように微細気泡発生装置などの特別な装置を用いることなく汚水30の処理を行うことができ、汚水処理装置１の製造コストやランニングコストの低廉化を図ることができる。
【００４９】
特に、上記汚水処理装置１では、濾過器６に連通させたオーバーフロー管10からポンプ７によって電解凝集槽３の内部の浮遊物33を吸引し、濾過器６によって浮遊物33を捕捉するようにしている。
【００５０】
そのため、上記汚水処理装置１では、電解凝集処理によって処理水32の水面に浮遊する浮遊物33を沈殿物31とは別個にオーバーフロー管10から濾過器６に吸引することができるので、電解凝集槽３から沈殿物31と処理水32とをポンプ７によって吸引すると、沈殿した沈殿物31が吸引された後に浮遊物33が存在しない状態の処理水32が吸引されることになり、電解凝集槽３から最後に吸引される処理水32の中に浮遊物33が含まれておらず、電解凝集槽３の内部に浮遊物33が付着してしまうのを防止することができ、電解凝集槽３の清掃作業に要する労力や時間を短縮することができる。
【００５１】
また、上記汚水処理装置１では、供給管15からポンプ７を介して電解凝集槽３へと通じる汚水供給流路Ａと電解凝集槽３からポンプ７を介して排水管13へと通じる汚水排出流路Ｂとに流路を変更できるようにしているために、流路を変更することによって電解凝集処理前の汚水30の供給と電解凝集処理後の汚水30（沈殿物31、処理水32、浮遊物33）の排出とを１個のポンプを用いて行うことができるので、汚水30の供給と排出とを別々に行うために２個のポンプを用いる必要がなくなり、汚水処理装置１のコストを低減することができる。
【００５２】
［第２実施例］
上記第１実施例に係る汚水処理装置１では、ポンプ７に排水管13を直結して、処理水32を排水管13からそのまま排出するように構成しているが、さらに処理水32を浄化できるように構成することもできる。
【００５３】
図９に示す汚水処理装置34では、上記汚水処理装置１と同様の構成の汚水処理ユニット35の下流に処理水32の浄化を行う処理水浄化ユニット36を接続している。なお、以下の説明では、上記第１実施例に係る汚水処理装置１と同様の機能を有する部材については同一の符号を付して説明を省略している。
【００５４】
処理水浄化ユニット36は、流路切替バルブ16に連結管37の始端部を接続するとともに、この連結管37の終端部に貯留槽38を接続し、この貯留槽38に循環濾過器39を接続している。
【００５５】
循環濾過器39は、貯留槽38の底部に流出管40の始端部を接続し、この流出管40の中途部に開閉バルブ41を介設するとともに、流出管40の終端部にフィルター42を収容した濾過器43を接続し、この濾過器43にポンプ44を連通管45を介して接続している。
【００５６】
また、循環濾過器39は、ポンプ44に排水管13の始端部を接続し、この排水管13の中途部に流路切替バルブ46（三方コック）を介設し、この流路切替バルブ46に流入管47の始端部を接続し、この流入管47の終端部を貯留槽38の上部に接続している。
【００５７】
そして、処理水浄化ユニット36は、循環濾過器39の開閉バルブ41を閉塞状態とするとともに、流路切替バルブ16をポンプ７から貯留槽38への連通状態とし、ポンプ７を駆動することによって、汚水処理ユニット35で処理した処理水32を貯留槽38に貯留する。
【００５８】
次に、処理水浄化ユニット36は、循環濾過器39の開閉バルブ41を開放状態とするとともに、流路切替バルブ46をポンプ44から貯留槽38への連通状態とし、ポンプ44を駆動することによって、貯留槽38に貯留した処理水32を濾過器43を介して循環させながら濾過器43で濾過する。
【００５９】
このときに、汚水処理ユニット35では、電解凝集槽３に次の汚水30を貯留して、電解凝集処理を行うことができる。
【００６０】
その後、処理水浄化ユニット36は、循環濾過器39の開閉バルブ41を開放状態とするとともに、流路切替バルブ46をポンプ44から排水管13への連通状態とし、ポンプ44を駆動することによって、貯留槽38に貯留した処理水32を排水管13から排水する。
【００６１】
このように、上記汚水処理装置34では、ポンプ７と排水管13との間に処理済の汚水30（処理水32）を貯留するための貯留槽38を介設するとともに、貯留槽38の内部の汚水30（処理水32）を循環させながら濾過する循環濾過器39を貯留槽38に連通しているために、電解凝集槽３で汚水30を処理した後に、処理した汚水30（処理水32）を貯留槽38に移して循環濾過器39で濾過すると同時に、電解凝集槽３で次の汚水30を処理することができるので、汚水30の電解凝集と濾過とを同時に並行して処理することができ、汚水30の大量処理を行うことができる。
【００６２】
［第３実施例］
第３実施例に係る汚水処理装置48は、図10〜図14に示すように、基台49に上部を開口した矩形箱型状の電解凝集槽50を取付け、電解凝集槽50の内部にオーバーフロー管51,52を形成するとともに、電解凝集槽50の底部に濾過器53を連通連結し、電解凝集槽50に調温装置としてのボイラー54と水源55とをそれぞれ連通連結し、さらには、電解凝集槽50の上部にスクレーパー56を着脱自在に載置している。
【００６３】
電解凝集槽50は、底部に中央部へ向けて傾斜する左右一対の傾斜面57,58を形成するとともに、傾斜面57,58の最下端部に排出管59の始端部を接続し、この排出管59の終端部に濾過器53を開閉バルブ60を介して接続している。
【００６４】
また、電解凝集槽50は、底部に連通管61の始端部を接続し、この連通管61の終端部にボイラー54を開閉バルブ62を介して接続している。そして、電解凝集槽50は、ボイラー54から内部に高温蒸気を供給することで汚水の温度を上昇させることができるようになっている。
【００６５】
また、電解凝集槽50は、上部に連通管63の始端部を接続し、この連通管63の終端部に水源55（水道水源）を開閉バルブ64を介して接続している。そして、電解凝集槽50は、水源55から内部に常温又は低温の水を供給することで汚水の温度を下降させることができるようになっている。
【００６６】
さらに、電解凝集槽50は、底部の傾斜面57,58の最上端部に左右一対の隔壁65,66を立設して、隔壁65,66の内側に電解処理室67を形成するとともに、隔壁65,66の外側に矩形断面形状のオーバーフロー管51,52を形成している。
【００６７】
電解処理室67は、底部に網目状のフィルター68を配置するとともに、フィルター68の上部に電気分解装置69を載置している。
【００６８】
この電気分解装置69は、矩形枠状のフレーム70に７対の矩形板状の電極板71〜84を平行に収容し、正極側のアルミニウム製の電極板71,73,75,77,79,81,83と負極側の電極板72,74,76,78,80,82,84との間に直流電圧を印加するようにしている。
【００６９】
また、電解処理室67には、３個の連通管85,86,87の始端部を上下に間隔をあけて接続するとともに、３個の連通管85,86,87を上下に伸延させた透明の目視パイプ88に接続している。これにより、目視パイプ88を外部から目視することで、電解凝集槽50（電解処理室67）の内部の汚水の処理状態を確認することができるようになっている。
【００７０】
スクレーパー56は、電解凝集槽50の開口上端部に着脱自在に載置した支持フレーム89にベルトコンベア機構90を取付け、このベルトコンベア機構90のベルト91に６枚の矩形板状のヘラ92を間隔をあけて取付けている。そして、スクレーパー56は、ベルトコンベア機構90を駆動することでベルト91が回動し、それに伴ってヘラ92が電解処理室67の開口部に沿って移動し、電解処理室67の内部に貯留された汚水30に浮遊する浮遊物を電解処理室67からオーバーフロー管51,52へと排出するようにしている。
【００７１】
オーバーフロー管51,52は、底部に連通管93,94の始端部を接続し、この連通管93,94の終端部に濾過器53を開閉バルブ95,96を介して接続している。
【００７２】
濾過器53は、上記実施例１又は実施例２に係る濾過器６と同様の構成となっており、排水管97の始端部を接続して、この排水管97から処理水を排出できるようにしている。
【００７３】
なお、調温装置は、ボイラー54と水源55とで構成した場合に限られず、汚水30の水温を調節できる構成のものであればよく、また、電解凝集槽50の内部に設けた場合に限られず、電解凝集槽50に供給する汚水30をあらかじめ貯留するための貯留槽を電解凝集槽50に汚水供給流路を介して接続して、これら貯留槽及び／又は汚水供給流路に汚水30の水温を調節するための調温装置を設けた構成としてもよい。また、調温装置による汚水30の調節温度としては、処理前又は／及び処理中に４０〜９０℃とするのが好ましい。
【００７４】
また、電解凝集槽50に処理水を貯留する処理水貯留槽を処理水回収流路を介して連通連結し、電解凝集槽50及び／又は処理水貯留槽及び／又は処理水回収流路に処理水をオゾンガスで曝気するための曝気機構を設けてもよい。この場合には、処理水をオゾンガスで曝気することができ、処理水の浄化を図ることができる。
【００７５】
以上に説明したように、上記汚水処理装置48では、電解凝集槽50の底部に濾過器53を連通し、濾過器53に排水管97を連通しているために、汚水30に対して電解凝集処理を行うことで電解凝集槽50の内部で凝集によって沈殿した沈殿物31と沈殿物31が沈殿分離した処理水32と処理水32の水面に浮遊する浮遊物33とに分離され、その後、これらの沈殿物31と処理水32と浮遊物33とを電解凝集槽50の底部から排出することで固形分である沈殿物31と浮遊物33とを濾過器53で捕捉するとともに、処理水32を排水管97から排出することができるので、従来の電気分解装置を用いた汚水処理装置のように微細気泡発生装置などの特別な装置を用いることなく汚水30の処理を行うことができ、汚水処理装置48の製造コストやランニングコストの低廉化を図ることができる。
【００７６】
特に、上記汚水処理装置48では、電解凝集槽50の底部に傾斜面57,58を形成し、傾斜面57,58の下端部に排出管59を接続し、排出管59に濾過器53を連通しているために、電解凝集槽50の底部の傾斜面57,58に沿って沈殿物31や処理水32を円滑に濾過器53へ排出することができる。
【００７７】
また、上記汚水処理装置48では、電解凝集槽50に電解凝集処理で生じた浮遊物をオーバーフロー管51,52へ掻き出すためのスクレーパー56を設けているために、スクレーパー56によって浮遊物33をオーバーフロー管51,52へ円滑に排出することができ、これにより、電解凝集槽50の内部に浮遊物33が付着してしまうのを防止することができ、電解凝集槽50の清掃作業に要する労力や時間を短縮することができる。
【図面の簡単な説明】
【００７８】
【図１】第１実施例に係る汚水処理装置を示す正面図。
【図２】同ブロック配管図。
【図３】電解凝集槽を示す正面断面図。
【図４】同側面断面図。
【図５】汚水処理方法を示す説明図（汚水供給時）。
【図６】汚水処理方法を示す説明図（電解凝集処理時）。
【図７】汚水処理方法を示す説明図（オーバーフロー時）。
【図８】汚水処理方法を示す説明図（排出時）。
【図９】第２実施例に係る汚水処理装置を示すブロック配管図。
【図１０】第３実施例に係る汚水処理装置を示す正面図。
【図１１】同側面図。
【図１２】同平面図。
【図１３】同正面断面図。
【図１４】同側面断面図。
【符号の説明】
【００７９】
１  汚水処理装置                      ２  基台
３  電解凝集槽                        ４  電気分解装置
５  調温装置                            ６  濾過器
７  ポンプ                            ８  排出管
９  開閉バルブ                        10  オーバーフロー管
11  開閉バルブ                        12  連通管
13  排水管                            14  流路切替バルブ
15  供給管                            16  流路切替バルブ
17  流入管                            18  槽本体
19  蓋体                              20,21,22,23  電極板
24  電源                              25  スリット
26  支持体                            27  支持溝
28  ケーシング                        29  フィルター
30  汚水                              31  沈殿物
32  処理水                            33  浮遊物
34  汚水処理装置                      35  汚水処理ユニット
36  処理水浄化ユニット                37  連結管
38  貯留槽                            39  循環濾過器
40  流出管                            41  開閉バルブ
42  フィルター                        43  濾過器
44  ポンプ                            45  連通管
46  流路切替バルブ                    47  流入管
48  汚水処理装置                      49  基台
50  電解凝集槽                        51,52  オーバーフロー管
53  濾過器                            54  ボイラー
55  水源                              56  スクレーパー
57,58  傾斜面                         59  排出管
60  開閉バルブ                        61  連通管
62  開閉バルブ                        63  連通管
64  開閉バルブ                        65,66  隔壁
67  電解処理室                        68  フィルター
69  電気分解装置                      70  フレーム
71〜84  電極板                        85,86,87  連通管
88  目視パイプ                        89  支持フレーム
90  ベルトコンベア機構                91  ベルト
92  ヘラ                              93,94  連通管
95,96  開閉バルブ                     97  排水管
Ａ  汚水供給流路                      Ｂ  汚水排出流路
【図１】
2008207089.tif 000003
【図２】
2008207089.tif 000004
【図３】
2008207089.tif 000005
【図４】
2008207089.tif 000006
【図５】
2008207089.tif 000007
【図６】
2008207089.tif 000008
【図７】
2008207089.tif 000009
【図８】
2008207089.tif 000010
【図９】
2008207089.tif 000011
【図１０】
2008207089.tif 000012
【図１１】
2008207089.tif 000013
【図１２】
2008207089.tif 000014
【図１３】
2008207089.tif 000015
【図１４】
2008207089.tif 000016